【手続補正書】
【提出日】平成20年8月22日(2008.8.22)
【手続補正１】
【補正対象書類名】明細書
【補正対象項目名】請求項１
【補正方法】変更
【補正の内容】
【請求項１】  液晶混合物であって、式（Ｉ）
【化１】
2004507607.tif 000001
式中、
Ｒ１は、Ｈまたは、１〜２０個のＣ原子を有する直鎖状もしくは分枝状アルキル基または２〜２０個のＣ原子を有する直鎖状もしくは分枝状アルケニル基であり、ここで、いずれの場合においても、随意に、１つの−ＣＨ２−基が、シクロヘキシレン−１，４−ジイルにより置換されており、または、１つもしくは２つの−ＣＨ２−基が、随意に、Ｎに隣接していない場合には−Ｏ−によりまたは、−Ｃ（＝Ｏ）−、−Ｓｉ（ＣＨ３）２−により置換されており；
および／またはアルキルもしくはアルケニル基の１つもしくは２つ以上のＨが、随意に、ＦもしくはＣＨ３により置換されており、
Ｒ２は、
ａ）ＨまたはＦ、
ｂ）いずれの場合においても、１つもしくは２つの−ＣＨ２−基が、随意に、−Ｏ−、−Ｃ（＝Ｏ）Ｏ−、−Ｓｉ（ＣＨ３）２−により置換されており、および／またはアルキルもしくはアルケニル基の１つもしくは２つ以上のＨが、ＦもしくはＣＨ３により置換されている、１〜２０個のＣ原子を有する直鎖状もしくは分枝状アルキル基または２〜２０個のＣ原子を有する直鎖状もしくは分枝状アルケニル基、
ｃ）基
【化２】
2004507607.tif 000002
式中、（Ｉ）におけるそれぞれの意味から独立して、
Ｒ３、Ｒ４、Ｒ５、Ｒ６は、互いに独立して、１〜８個のＣ原子を有するアルキル基である、
を意味し、
Ｍ１、Ｍ２は、互いに独立して、単結合、−ＯＣ（＝Ｏ）、−Ｃ（＝Ｏ）Ｏ−、−ＯＣＨ２−、−ＮＨ−を示し、
Ａは、
ａ）１〜２０個のＣ原子を有する直鎖状もしくは分枝状アルカン−α，ω−ジイル基または２〜２０個のＣ原子を有するアルケン−α，ω−ジイル基であり、随意に、Ｍ１／２に隣接していない場合には、１つもしくは２つの隣接していない−ＣＨ２−基が、−Ｏ−により置換されていることができ、
ｂ）基−Ｃ（＝Ｙ）−であり、ここで、Ｙが、ＣＨ−Ｚであり、Ｚが、随意に１〜３個のハロゲン原子、１〜４個のＣ原子を有するアルキルまたはアルキルオキシ基により置換されているフェニレン−１，４−ジイルであり、ただし、Ｍ１およびＭ２が、−Ｃ（＝Ｏ）Ｏ−および−ＯＣ（＝Ｏ）−であり、
ｃ）基−ＣＨＹであり、ここで、Ｙが、ＣＨ２−Ｚであり、Ｚが、随意に１〜３個のハロゲン原子、１〜４個のＣ原子を有するアルキルまたはアルキルオキシ基により置換されているフェニレン−１，４−ジイルであり、ただし、Ｍ１およびＭ２が、−Ｃ（＝Ｏ）Ｏ−および−ＯＣ（＝Ｏ）−であり、
ｄ）基
【化３】
2004507607.tif 000003
であり、ここで、
ｐ、ｑが、０、１または２であり、ｐ＋ｑの合計が、≧１であり；
Ｍ３が、単結合または−ＯＣ（＝Ｏ）−、−Ｃ（＝Ｏ）Ｏ−、−ＯＣＨ２−、−ＣＨ２Ｏ−、−Ｃ≡Ｃ−、−ＣＨ２ＣＨ２−、−ＣＨ２ＣＨ２ＣＨ２ＣＨ２−であり、
基
【化４】
2004507607.tif 000004
が、互いに独立して、随意に１つ、２つもしくは３つのＦにより置換されていることができるフェニレン−１，４−ジイル、または、随意に１つのＣＮ、ＣＨ３もしくはＦにより置換されていることができるシクロヘキサン−１，４−ジイル、または、随意に１つのＦにより置換されているピリミジン−２，５−ジイル、随意に１つのＦにより置換されていることができるピリジン−２，５−ジイル、または、随意に１つ、２つもしくは３つのＦにより置換されていることができるナフタレン−２，６−ジイル、または１，２，３，４−テトラヒドロナフタレン−２，６−ジイル（芳香環は、随意に、１つ、２つもしくは３つのＦにより置換されている）、またはデカヒドロナフタレン−２，６−ジイル、またはインダン−２，５（６）−ジイル、またはフルオレン−２，７−ジイル、またはフェナントレン−２，７−ジイル、または９，１０−ジヒドロフェナントレン−２，７−ジイル、または（１，３，４）チアジアゾール−２，５−ジイル、または（１，３）チアゾール−２，５−ジイル、または（１，３）チアゾール−２，４−ジイル、またはチオフェン−２，４−ジイル、またはチオフェン−２，５−ジイル、または（１，３）ジオキサン−２，５−ジイル、またはピペリジン−１，４−ジイル、またはピペラジン−１，４−ジイルであり、
Ｘは、Ｈ、ＯＨ、１〜２０個のＣ原子を有する直鎖状もしくは分枝状アルキルもしくはアルキルオキシ基であり、ここで、１つもしくは２つの−ＣＨ２−基が、−Ｏ−、−Ｃ（＝Ｏ）Ｏ−、−Ｓｉ（ＣＨ３）２−により置換されていることができ、随意に１つもしくは２つ以上のＨが、ＦもしくはＣＨ３により置換されており、
ｍは、０または１であり、
ＸおよびＭ１−（Ａ）ｍ−Ｍ２−Ｒ２は、一緒に、
ａ）随意に１〜１５個のＣ原子を有するアルキル基により置換されている、４〜１６員の環であり、
ｂ）随意に、１〜１５個のＣ原子を有するアルキル基により置換されている、互いに独立して４〜１６員環の直接結合した、またはスピロ結合した環のいずれかの２つの組み合わせ
を、３つの変数のいずれかにおいて構成することができ、環は、互いに独立して、炭素環または、Ｂ、Ｎ、ＯもしくはＳヘテロ原子を含む炭素環である、
で表される１種または数種の化合物を含む、前記液晶混合物。
【手続補正２】
【補正対象書類名】明細書
【補正対象項目名】００２７
【補正方法】変更
【補正の内容】
【００２７】
【化４２】
2004507607.tif 000005
式中、
Ｘは、Ｈであり、
Ｒ１は、Ｈまたは１〜４個のＣ原子を有するアルキルであり、
Ｒ３、Ｒ４、Ｒ５、Ｒ６は、ＣＨ３であり、
Ｒ２は、Ｈまたは、１〜１６個のＣ原子を有するアルキルもしくはアルキルオキシ基であり、ここで、１つもしくは２つの−ＣＨ２−基は、−Ｏ−、−ＯＣ（＝Ｏ）−、−Ｓｉ（ＣＨ３）２−により置換されていることができ、１つもしくは２つ以上のＨをＦもしくはＣＨ３により置換することも可能であり、
Ｍ１は、単結合であり、
Ｍ２は、単結合であり、
Ｍ３は、単結合であり、
【化４３】
2004507607.tif 000006
は、随意に１つもしくは２つのＦにより置換されているフェニレン−１，４−ジイルまたはシクロヘキシレン−１，４−ジイル、
【化４４】
2004507607.tif 000007
は、随意に１つ、２つもしくは３つのＦにより置換されていることができるフェニレン−１，４−ジイル、または、随意に１つのＣＮ、ＣＨ３もしくはＦにより置換されていることができるシクロヘキサン−１，４−ジイル、または、随意に１つのＦにより置換されているピリミジン−２，５−ジイル、随意に１つのＦにより置換されていることができるピリジン−２，５−ジイル、または、随意に１つ、２つもしくは３つのＦにより置換されていることができるナフタレン−２，６−ジイル、または１，２，３，４−テトラヒドロナフタレン−２，６−ジイル（芳香環は、随意に、１つ、２つまたは３つのＦにより置換されている）、またはデカヒドロナフタレン−２，６−ジイル、またはインダン−２，５（６）−ジイル、またはフルオレン−２，７−ジイル、またはフェナントレン−２，７−ジイル、または９，１０−ジヒドロフェナントレン−２，７−ジイル、または（１，３，４）チアジアゾール−２，５−ジイル、または（１，３）チアゾール−２，５−ジイル、または（１，３）チアゾール−２，４−ジイル、またはチオフェン−２，４−ジイル、またはチオフェン−２，５−ジイル、または（１，３）ジオキサン−２，５−ジイル、またはピペリジン−１，４−ジイル、またはピペラジン−１，４−ジイルである、
を含む混合物である。